(57)【要約】    【課題】  ドットインパクト式の印字装置を搭載するも、運転時の騒音が小さいインクジェット式プリント装置を提供する。    【解決手段】  印字ワイヤの動作によりプリント用紙に各種情報を印字するドットインパクト式の印字装置が搭載されたインクジェット式プリント装置において、印字装置が上部筐体及び下部筐体で囲まれると共に、これら筐体には吸音材が装填され、下部筐体は、印字装置を覆う位置と印字装置を開放する位置とに位置変更可能とした。  【選択図】  図４
2006051704.tif 000002
【特許請求の範囲】
【請求項１】
印字ワイヤの動作によりプリント用紙に各種情報を印字するドットインパクト式の印字装置が搭載されたインクジェット式プリント装置において、
印字装置が筐体で囲まれると共に、筐体には吸音材が装填されていることを特徴とするインクジェット式プリント装置。
【請求項２】
筐体が印字装置を覆う位置と印字装置を開放する位置とに位置変更可能であることを特徴とする請求項１に記載のインクジェット式プリント装置。
【発明の詳細な説明】
【技術分野】
【０００１】
本発明はプリント用紙に画像などをプリントするのに用いるインクジェット式のプリント装置であって、プリント用紙の裏面に各種情報を印字するためのドットインパクト式の印字装置を搭載したものにに関する。
【背景技術】
【０００２】
例えばインクジェット式のプリント装置は、キャリッジに搭載されて主走査方向に移動するプリントヘッド、副走査方向にプリント用紙を搬送させる搬送装置、プリント用紙の裏面にオーダー番号などの各種情報を印字するためのドットインパクト式の印字装置などが搭載され、画像データに基づいて、プリントヘッドの吐出ノズルからインク滴を吐出させることで、プリント用紙の表面に画像をプリント処理すると共に、印字装置によりプリント用紙の裏面にオーダー番号などを印字するようにしている。
【０００３】
また以上のプリント装置に搭載される印字装置は、印字ワイヤを備えたドットヘッドと、このドットヘッドと所定間隔開けて対向状に配置されるプラテンヘッドと、リボンが装填されたリボンカセットと、印字ワイヤを動作させる作動装置などが備えられ、プラテンヘッドを機体側のペーパ搬送ユニットに固定する一方、ドットヘッド、リボンカセット、作動装置をケースに組み込んだ1つのユニットに構成して、この印字ユニットをペーパ搬送ユニットにルト止めしている。
【０００４】
そしてこの印字装置では、ドットヘッドとプラテンヘッドとの隙間を通過するプリント用紙の裏面に駆動機構による印字ワイヤの動作で、インクを染み込ませたリボンを介して印字するようにしている。（特許文献１参照）
【特許文献１】特開２００４−２５６９５号  ところで、以上のドットインパクト式の印字装置は、印字ワイヤがドットヘッドから電気信号により突出して、その先端がインクリボンを介してプリント用紙に衝突することにより、プリント用紙に印字を行うものであり、そのため、印字ワイヤの先端がプリント用紙に衝突する際の衝撃により大きな騒音が生じる。
【０００５】
そしてこの印字装置が現像処理装置などの駆動音が比較的大きい銀塩式のプリント装置に搭載された場合には、印字装置から生じる騒音はあまり目立たないものであるが、駆動音の静かなインクジェット式プリント装置に搭載された場合には、特に印字装置の騒音が目立って、オペレータや顧客に不快感を与える不具合がある。
【発明の開示】
【発明が解決しようとする課題】
【０００６】
本発明は以上の実情に鑑みて開発したものであって、目的とするところは、高精彩のインクジェット方式を用いた写真処理装置が拡販されつつあり、そこで生じる騒音問題を解決しようとするものである。即ち、従来から行なっていた写真プリントの裏面への情報印字を、インクジェット方式のプリンタにそのまま搭載したときでも、運転時の騒音が決して目立つことがないインクジェットプリント装置を提供することにある。
【課題を解決するための手段】
【０００７】
以上の目的を達成するために、請求項１に記載の発明は、印字ワイヤの動作によりプリント用紙に各種情報を印字するドットインパクト式の印字装置が搭載されたインクジェット式プリント装置において、印字装置が筐体で囲まれると共に、筐体には吸音材が装填されていることを特徴とするものである。
【０００８】
また請求項２に記載の発明は、請求項１に記載の筐体が印字装置を覆う位置と印字装置を開放する位置とに位置変更可能であることを特徴とするものである。
【発明の効果】
【０００９】
請求項１に記載の発明によれば、印字装置が筐体で囲まれ、しかもこの筐体には吸音材が装填されていることから、印字装置の駆動に伴って発生する騒音が、筐体の外部に漏れ出るのが確実に抑制され、従って、ドットインパクト式の印字装置が搭載されているにもかかわらず、インクジェット式プリント装置の運転時の騒音が大きくなることがない。
【００１０】
請求項２に記載の発明によれば、請求項１に記載の発明の効果に加え。たとえば印字装置のインクリボンなどの交換時などにおいて、筐体を印字装置を、印字装置を覆っている位置から開放する位置に位置変更するだけで、インクリボンなどの交換作業を簡単に行なうことが出来る。
【発明を実施するための最良の形態】
【００１１】
図１において符号１で示すインクジェット式のプリント装置は、ボックス状のハウジング１０内に、インクジェット式のプリントユニット２と、プリントユニット２でプリント処理を終えたプリント用紙Ｐを切断するためのカッターユニット３と、プリントユニット２でプリント処理されたプリント用紙Ｐをカッターユニット３に向けて搬送するための搬送ユニット４と、カッターユニット３によりカットされたプリント用紙Ｐをハウジング１０の上面に設けたトレイ１１上に搬出するための搬出ローラー対からなる搬出ユニット５と、プリント用紙Ｐの裏面に各種情報を印字するドットインパクト式の印字装置６等が搭載されている。
【００１２】
インクジェット式のプリントユニット２は、キャリッジ２１に搭載されて、主走査方向（プリント用紙Ｐの搬送方向に対して直交する方向）に往復移動するプリントヘッド２２と、吸着ファン２３と、搬送台２４とが備えられ、プリントヘッド２２が、キャリッジ２１を介して主走査方向に往復動しながら、搬送されるプリント用紙Ｐに、吐出ノズルを介してインクをそれぞれ吐出して所望の画像をプリントするようにしている。
【００１３】
吸着ファン２３は、プリント用紙Ｐの搬送経路を挟んでプリントヘッド２２と対向する位置に配置されて、吸着ファン２３の駆動により、搬送台２４上のプリント用紙Ｐを搬送台２４上に吸着させるようにしている。
【００１４】
カッターユニット３は、可動刃３１と、プリント用紙Ｐを挟んで可動刃３１と対向するように配置された固定刃３２とが備えられている。
【００１５】
搬送ユニット４は、ボックス状のケース４０に複数の搬送ローラ対４１が組み込まれ、これら搬送ローラ対４１を介してプリント用紙Ｐを搬送するようにしているのであって、図に示す実施形態では、この搬送ユニット４に印字装置６が搭載されている。
【００１６】
印字装置６は、ドットインパクト式のものであって、基本的には、印字ワイヤを備えたドットヘッド６１と、このドットヘッド６１に対して所定間隔開けて対向状に配置されるプラテンヘッド６２と、リボンが装填されたリボンカセット６３と、ドットヘッド６１の印字ワイヤを動作させるための作動装置６４が備えられている。
【００１７】
そして、ドットヘッド６１、リボンカセット６３、作動装置６４は、ケース６５内に組み込まれて、印字ユニット６６が構成され、この印字ユニット６６はペーパ搬送ユニット４の下面側に設けられたホルダー部材４２にネジ部材６７を介して固定されている。
【００１８】
一方、印字ユニット６６のドットヘッド６１に対して所定間隔開けて対向状に配置されるプラテンヘッド６２は、位置調整機構７を介して搬送ユニット４の上面側に取り付け、位置調整機構７によるプラテンヘッド６２の位置調整により、プラテンヘッド６２とドットヘッド６１との間の隙間を調整するようにしている。
【００１９】
位置調整機構７は、内周に雌ネジ７１ａが周設された円筒状保持筒７１ｂを備えて、搬送ユニット４のケース４０にボルト止めされたベース部材７１と、プラテンヘッド６２を保持するためのリング状のプラテンヘッドホルダー７２と、プラテンヘッドホルダー７２をドットヘッド６１に対して螺進または螺退させるための操作体７３と、操作体７３の弛みを阻止するための弛み規制体７４とが備えられている。
【００２０】
プラテンヘッドホルダー７２は、その外周に雄ネジ７２ａが周設され、内周の下端部には、プラテンヘッド６２の外周に設けたフランジ６２ａが係合する段部７２ｂが設けられており、また上端縁には、後記する突部７３ｃが嵌合可能な複数の嵌合溝７２ｃが設けられている。
【００２１】
操作体７３は、ロッド状の操作軸部７３ａと、この操作軸部７３ａの下端部に設けたぱね受け部７３ｂと、このばね受け部７３ｂの外周から外方に突出する複数の突部７３ｃとから構成され、操作軸部７３ａの外周上部には、雄ネジ７３ｄが周設され、操作軸部７３ａの上端には、工具のマイナスドライバーが嵌合可能な嵌合溝７３ｅが設けられている。
【００２２】
弛み規制体７４は、外周が六角形状のナット部７４ａと、このナット部７４ａの外径よりも一回り大径としたリング部７４ｂとから構成され、ナット部７４ａの内周には、操作体の雄ネジ７３ａに螺合可能な雌ネジ７４ｃが周設され、リング部７４ｂの外周には、ベース部材７１の雌ネジ７１ａに螺合可能な雄ネジ７４ｄが周設されている。
【００２３】
以上の位置調整機構７は、ペーパー搬送ユニット４にボルト止めされたベース部材７１の円筒状保持筒７１ｂ内に、プラテンヘッドホルダー７２を螺合して、このプラテンヘッドホルダー７２内にプラテンヘッド６２を装填し、このプラテンヘッド６２上にコイルスプリング７５をセットした上で、操作体７３を円筒状保持筒７１ｂ内に螺合して、操作体７３の突部７３ｃをプラテンヘッドホルダー７２の嵌合溝７２ｃに嵌合させるとともに、操作軸部７３ａの外周にコイルスプリング７６を嵌め、続いて円筒状保持筒７１ｂ内に弛み規制体７４を螺合している。
【００２４】
一方、図５にも示すように、ペーパ搬送ユニット４の上面で且つ位置調整機構７を挟んだ両側方には、スポンジ材からなる吸音材８０が敷設されると共に、ペーパ搬送ユニット４の上面には、前述の吸音材８０の敷設部位及び位置調整機構７の上方を覆う上部筐体８がボルトを介して脱着可能に取り付けられている。
【００２５】
上部筐体８は、断面逆Ｕ字状に形成され、相対向する対向壁８１の内面には、スポンジ材からなる吸音材８２が貼り付けられている。
【００２６】
また、図６にも示すように、ペーパ搬送ユニット４の下面側には、印字ユニット６６を覆う箱状の下部筐体９が設けられ、この下部筐体９の四方側壁９１の内面には、スポンジ材からなる吸音材９２が貼り付けられている。
【００２７】
この下部筐体９は、印字ユニット６６を覆う位置と印字ユニットを開放する位置とに位置変更可能であり、覆う位置ではロック機構９０を介してロックされるようにしている。
【００２８】
具体的には、下部筐体９の一端側をペーパ搬送ユニット４の下面側に枢軸９３を介して    枢支して、図７において実線で示すように印字ユニット６６を覆う位置と、図７において２点鎖線で示すように印字ユニット６６を開放する位置との間で下部筐体９を揺動可能としている。
【００２９】
ロック機構９０は、図７にも示すように、印字ユニット６６に回動可能に設けられたラチェット爪９０ａと、下部筐体９に設けられて、前述のラチェット爪９０ａに係合可能な係止片９０ｂとから構成され、下部筐体９が図７において実線で示すように印字ユニット６６を覆う位置に揺動した時に、係止片９０ｂがラチェット爪９０ａに係合し、これに伴い、下部筐体９が印字ユニット６６を覆う位置で保持されるようにし、またラチェット爪９０ａをスプリング９０ｃに抗して揺動させて、係止片９０ｂとラチェット爪９０ａとの係合を解除することで、下部筐体９０が自重により印字ユニット６６を開放する位置に揺動するようにしている。
【００３０】
尚、印字装置６の駆動時の振動によるいわゆるびびり音を防止するために、ロック機構９０を構成するまたラチェット爪９０ａまたは係止片９０ｂのいずれか一方を合成樹脂材料から形成するのが好ましい。
【００３１】
図中１２は、ロール状のプリント用紙Ｐを格納するマガジンを示す。
【００３２】
以上のプリント装置１は、先ずマガジン１２から送り出されるプリント用紙Ｐの表面にプリントユニット２で所定の画像がプリントされた後、そのプリント用紙Ｐを搬送ユニット４で搬送しながら、その裏面に印字装置６でオーダー番号などの各種情報が印字され、続いて、プリント用紙がカッターユニット３で所定の大きさにカットされた後、搬出ユニット５を介してトレイ１１に搬出されるのである。
【００３３】
ところで、印字装置６の駆動に伴い、ドットヘッド６１から突出する印字ワイヤの先端がインクリボンを介してプリント用紙Ｐに衝突する際の衝撃により大きな騒音が生じるが、以上の実施形態のプリント装置１では、印字装置６全体が上部筐体８と下部筐体９とで囲まれ、しかもこれら筐体８・９内には、吸音材８０・８２・９２が装填されていることから、印字装置６の駆動に伴い発生する騒音が筐体８・９の外部に漏れ出るのが確実に抑制されるのである。
【００３４】
従って、以上のプリント装置１は、ドットインパクト式の印字装置６が搭載されるも、運転時の騒音が大きくなることがないのである。
【００３５】
一方、印字装置６のリボンカセット６３などの交換時にあっては、ロック機構９０を構成するラチェット爪９０ａをスプリング９０ｃに抗して揺動させて、係止片９０ｂとラチェット爪９０ａとの係合を解除すれば、下部筐体９０が自重により図７において２点鎖線で示す位置まで揺動して、印字ユニット６６が開放されるので、印字ユニット６６に搭載されているリボンカセット６３の交換作業を迅速に行なうことが出来るのである。
【００３６】
尚、本発明の実施形態では、吸音材８０としてスポンジを用いているが、これに限定されるものではなく、例えば騒音のピークとなる周波数を測定して、その周波数と共鳴することで吸音するようにした共鳴型吸音機構を採用してもよい。
【図面の簡単な説明】
【００３７】
【図１】本発明にかかるインクジェット式プリント装置の概略斜視図。
【図２】本発明にかかるインクジェット式プリント装置の概略構成図。
【図３】印字装置が組み込まれた搬送ユニットの一部省略斜視図。
【図４】搬送ユニットの要部の拡大断面図。
【図５】上部筐体を切り欠いて示す搬送ユニットの一部省略平面図。
【図６】下部筐体を切り欠いて示す搬送ユニットの一部省略底面図。
【図７】下部筐体の作動を示す説明図。
【図８】搬送ユニットの要部の拡大断面図。
【符号の説明】
【００３８】
１        プリント装置
２        プリントユニット
４        搬送ユニット
６        印字装置
６１      ドットヘッド
６２      プラテンヘッド
７        位置調整機能
８        上部筐体
８０      吸音材
８２      吸音材
９        下部筐体
９０      ロック機構
９２      吸音材
【図１】
2006051704.tif 000003
【図２】
2006051704.tif 000004
【図３】
2006051704.tif 000005
【図４】
2006051704.tif 000006
【図５】
2006051704.tif 000007
【図６】
2006051704.tif 000008
【図７】
2006051704.tif 000009
【図８】
2006051704.tif 000010